(57)【要約】【課題】簡素な構造で、組立て及び分解を容易に行うことができ、衛生的で、汎用性、装着安定性及び道具の保持安定性に優れたホルダー付き自助具及び、板材を使用者の手の形に合わせて容易に変形させ、装着安定性に優れるホルダー付き自助具を製造することができる生産性に優れたホルダー付き自助具製造型を提供する。【解決手段】握力が低下した使用者が道具１２を手１１で保持して使用する際に、道具１２の保持を補助するホルダー付き自助具１０であって、道具１２を着脱可能に保持するホルダー部１３と、ホルダー部１３に連設されて使用者の手１１に装着されるホルダー保持部１５とを有し、ホルダー保持部１５が、ホルダー部１３に保持された道具１２と共に使用者の手１１に握られる基部１６と、基部１６の長手方向の両側から延設されて先側が使用者の手の甲１７に係止される一対の係止部１８ａ、１８ｂとを有している。【選択図】図１
0003230682.tif 000002
【実用新案登録請求の範囲】
【請求項１】
握力が低下した使用者が道具を手で保持して使用する際に、前記道具の保持を補助するホルダー付き自助具であって、
前記道具を着脱可能に保持するホルダー部と、該ホルダー部に連設されて該ホルダー部に保持される道具の姿勢を維持するホルダー保持部とを有することを特徴とするホルダー付き自助具。
【請求項２】
請求項１記載のホルダー付き自助具において、前記ホルダー保持部は、前記使用者の手に装着されることを特徴とするホルダー付き自助具。
【請求項３】
請求項２記載のホルダー付き自助具において、前記ホルダー保持部は、前記ホルダー部に保持される道具と共に前記使用者の手に握られる基部と、該基部の長手方向の両側から延設されて先側が前記使用者の手の甲に係止される一対の係止部とを有することを特徴とするホルダー付き自助具。
【請求項４】
請求項２記載のホルダー付き自助具において、前記ホルダー保持部は、前記ホルダー部に保持される道具と共に前記使用者の手に握られる基部と、該基部の長手方向の一側及び／又は他側から延設されて前記使用者の手の甲に当接する当接部とを有し、環状に形成されることを特徴とするホルダー付き自助具。
【請求項５】
請求項２記載のホルダー付き自助具において、前記ホルダー保持部は、前記ホルダー部に保持される道具と共に前記使用者の手に握られる基部と、該基部の長手方向の一側から延設されて前記使用者の手の甲側で前記基部の長手方向の他側に向かって湾曲した湾曲部と、該湾曲部の先側から前記基部の長手方向の一側に向かって折り返され前記基部と対向して前記使用者の手の甲を押圧する押圧部とを有することを特徴とするホルダー付き自助具。
【請求項６】
請求項２記載のホルダー付き自助具において、前記ホルダー保持部は、前記使用者の手の平に当接する基部と、該基部から延設されて前記使用者の手首に当接する延設部とを有し、前記基部及び前記延設部に連結されたベルトにより前記使用者の手に固定されることを特徴とするホルダー付き自助具。
【請求項７】
請求項３〜６のいずれか１記載のホルダー付き自助具において、前記ホルダー部は、前記基部と対向配置され、該ホルダー部に保持される道具の柄又は胴部に当接する山型の当接面が形成された押圧部材と、該押圧部材と前記基部との間隔を調整し、該押圧部材を前記基部に着脱可能に固定する固定手段とを有することを特徴とするホルダー付き自助具。
【請求項８】
道具を着脱可能に保持するホルダー部と、該ホルダー部に連設されて前記ホルダー部に保持される道具の姿勢を保持するホルダー保持部とを有し、握力が低下した使用者が前記道具を手で保持して使用する際に、前記道具の保持を補助するホルダー付き自助具の製造に用いられるホルダー付き自助具製造型であって、
前記使用者の手の形に合わせて成型部が形成された曲げ加工型を有し、板材が前記成型部に押付けられて変形することにより、前記ホルダー保持部が成形されることを特徴とするホルダー付き自助具製造型。
【請求項９】
請求項８記載のホルダー付き自助具製造型において、前記曲げ加工型と対をなす一対の押し当て部材を備え、前記成型部は、前記板材の長手方向の中央部が押付けられる基部成型面と該基部成型面の両側で円弧状に湾曲した膨出面とを有して断面がＣ型に形成され、前記各押し当て部材は、前記各膨出面に対応して円弧状に湾曲した凹面を有し、前記板材の長手方向の両側を、前記曲げ加工型の前記各膨出面と前記各押し当て部材の前記凹面との間に挟持することを特徴とするホルダー付き自助具製造型。
【請求項１０】
請求項９記載のホルダー付き自助具製造型において、前記成型部のＣ型の断面は、該断面と直交する方向の一側から他側に向かって拡大して形成されていることを特徴とするホルダー付き自助具製造型。
【請求項１１】
請求項８記載のホルダー付き自助具製造型において、前記曲げ加工型は、前記板材の長手方向の一側が押付けられる一側押付面と、該一側押付面の裏側に膨出して形成された湾曲面と、該湾曲面の一側から延設されて前記一側押付面と間隔を空けて対向配置された対向面とを有し、前記一側押付面、前記湾曲面及び前記対向面が連なって形成される前記成型部に沿って前記板材を変形させることを特徴とするホルダー付き自助具製造型。
【請求項１２】
請求項９記載のホルダー付き自助具製造型において、前記曲げ加工型は、前記一側押付面と前記対向面との間に形成された切り欠き部を有し、前記板材の長手方向の一側を前記一側押付面に押付けて固定する固定部材が、前記切り欠き部に着脱可能に挿入されることを特徴とするホルダー付き自助具製造型。
【考案の詳細な説明】
【技術分野】
【０００１】
本考案は、握力が低下した使用者（患者）の各種の道具（器具）の使用をサポートして日常動作の自立を補助するホルダー付き自助具及びその製造に用いられるホルダー付き自助具製造型に関する。
【背景技術】
【０００２】
従来、麻痺等により握力が低下し、各種の道具を手で握る動作が不安定（困難）な使用者（患者）が、自立して食事や髭剃り等の日常動作を行うことができるように、様々な方法や専用の自助具（サポーター、装具等ともいう）が検討されている。例えば、食事に関しては、車椅子用の皮製のグローブを使用者の手に装着して手首の角度を固定し、グローブと手の隙間にフォーク等を挿し込んで使用する方法が提案されている。しかし、皮製のグローブは洗濯が困難であるため、衛生面に問題があった。よって、専用の自助具を使用することが望ましく、これまでにも特許文献１の筆記補助具や特許文献２の手の介助用粘着性保持具等のような数多くの自助具が提案されている。
【先行技術文献】
【特許文献】
【０００３】
【特許文献１】特開２０１６−１６８７４２号公報
【特許文献２】実開平６−３７８６３号公報
【考案の概要】
【考案が解決しようとする課題】
【０００４】
特許文献１、２のように手に装着したり、手の平で握ったりして使用する自助具は、使用（装着）時の安定性及び快適性を高めるため、使用者の体型（手の平の形、大きさ、指の長さ等）に応じて各部の寸法及び形状を設計することが望ましいが、使用者の身体にフィットする自助具を個別に作製するには、造形及び形状の修正に手間がかかり、労力を要するという課題がある。これに対し、近年普及している３Ｄプリンターを用いれば、使用者の体型に合わせた自助具を三次元形状で出力（製造）することができ、手作業に比べて細かな造形を忠実に再現することが可能である。しかしながら、実際の三次元形状の出力は難易度が高く、出力時に三次元形状を支持するためのサポート部を必要とし、サポート部の形状及び配置も設計しなければならないため、３Ｄデータの製作に手間がかかるという課題がある。また、積層痕及びサポート部の除去痕を研磨する必要があり、最終形状に仕上げるための労力と時間を要するという課題もある。
さらに、特許文献１の筆記補助具は、手指の示指と中指に装着される構造であるため、装着時の安定性に欠けるという課題がある。また、筆記具を保持するペンホルダー部が手指の背面側に配置されており、筆記時に筆記具を手で握ることができず、使用性に欠けるという課題もある。特許文献２の手の介助用粘着性保持具は、手の平に入る程度の大きさに形成された保持シートの片面に粘着剤層を設け、スプーン、フォーク等の食器や鉛筆、ボールペン等の筆記具等の器具を粘着によって固定しているため、器具の固定安定性に欠けると共に、使用に伴って粘着力が低下し易く、長寿命性に欠けるという課題がある。
【０００５】
本考案は、かかる事情に鑑みてなされたもので、簡素な構造で、組立て及び分解を容易に行うことができ、衛生的で、汎用性、装着安定性及び道具の保持安定性に優れたホルダー付き自助具及び、板材を使用者の手の形に合わせて容易に変形させ、装着安定性に優れるホルダー付き自助具を製造することができる生産性に優れたホルダー付き自助具製造型を提供することを目的とする。
【課題を解決するための手段】
【０００６】
前記目的に沿う第１の考案に係るホルダー付き自助具は、握力が低下した使用者が道具を手で保持して使用する際に、前記道具の保持を補助するホルダー付き自助具であって、
前記道具を着脱可能に保持するホルダー部と、該ホルダー部に連設されて該ホルダー部に保持される道具の姿勢を維持するホルダー保持部とを有する。
【０００７】
第１の考案に係るホルダー付き自助具において、前記ホルダー保持部は、前記使用者の手に装着されることが好ましい。
ここで、装着には、手の平、手の甲、手の指又は手首等に固定することだけでなく、手の平で握ることや手の指で掴む（手の指に引っ掛ける）ことも含まれる。
【０００８】
第１の考案に係るホルダー付き自助具において、前記ホルダー保持部は、前記ホルダー部に保持される道具と共に前記使用者の手に握られる基部と、該基部の長手方向の両側から延設されて先側が前記使用者の手の甲に係止される一対の係止部とを有することができる。
【０００９】
第１の考案に係るホルダー付き自助具において、前記ホルダー保持部は、前記ホルダー部に保持される道具と共に前記使用者の手に握られる基部と、該基部の長手方向の一側及び／又は他側から延設されて前記使用者の手の甲に当接する当接部とを有し、環状に形成されてもよい。
【００１０】
第１の考案に係るホルダー付き自助具において、前記ホルダー保持部は、前記ホルダー部に保持された道具と共に前記使用者の手に握られる基部と、該基部の長手方向の一側から延設されて前記使用者の手の甲側で前記基部の長手方向の他側に向かって湾曲した湾曲部と、該湾曲部の先側から前記基部の長手方向の一側に向かって折り返され前記基部と対向して前記使用者の手の甲を押圧する押圧部とを有することもできる。
【００１１】
第１の考案に係るホルダー付き自助具において、前記ホルダー保持部は、前記使用者の手の平に当接する基部と、該基部から延設されて前記使用者の手首に当接する延設部とを有し、前記基部及び前記延設部に連結されたベルトにより前記使用者の手に固定されてもよい。
【００１２】
第１の考案に係るホルダー付き自助具において、前記ホルダー部は、前記基部と対向配置され、該ホルダー部に保持される道具の柄又は胴部に当接する山型の当接面が形成された押圧部材と、該押圧部材と前記基部との間隔を調整し、該押圧部材を前記基部に着脱可能に固定する固定手段とを有することができる。
【００１３】
前記目的に沿う第２の考案に係るホルダー付き自助具製造型は、道具を着脱可能に保持するホルダー部と、該ホルダー部に連設されて前記ホルダー部に保持される道具の姿勢を保持するホルダー保持部とを有し、握力が低下した使用者が前記道具を手で保持して使用する際に、前記道具の保持を補助するホルダー付き自助具の製造に用いられるホルダー付き自助具製造型であって、
前記使用者の手の形に合わせて成型部が形成された曲げ加工型を有し、板材が前記成型部に押付けられて変形することにより、前記ホルダー保持部が成形される。
ここで、手の形には、手の平、手の甲、手の指及び手首のそれぞれの形が含まれ、ホルダー保持部を手に装着する際の装着位置に応じて、様々な形状を選択することができる。
【００１４】
第２の考案に係るホルダー付き自助具製造型において、前記曲げ加工型と対をなす一対の押し当て部材を備え、前記成型部は、前記板材の長手方向の中央部が押付けられる基部成型面と該基部成型面の両側で円弧状に湾曲した膨出面とを有して断面がＣ型に形成され、前記各押し当て部材は、前記各膨出面に対応して円弧状に湾曲した凹面を有し、前記板材の長手方向の両側を、前記曲げ加工型の前記各膨出面と前記各押し当て部材の前記凹面との間に挟持することができる。
【００１５】
第２の考案に係るホルダー付き自助具製造型において、前記成型部のＣ型の断面は、該断面と直交する方向の一側から他側に向かって拡大して形成されていることが好ましい。
【００１６】
第２の考案に係るホルダー付き自助具製造型において、前記曲げ加工型は、前記板材の長手方向の一側が押付けられる一側押付面と、該一側押付面の裏側に膨出して形成された湾曲面と、該湾曲面の一側から延設されて前記一側押付面と間隔を空けて対向配置された対向面とを有し、前記一側押付面、前記湾曲面及び前記対向面が連なって形成される前記成型部に沿って前記板材を変形させることができる。
【００１７】
第２の考案に係るホルダー付き自助具製造型において、前記曲げ加工型は、前記一側押付面と前記対向面との間に形成された切り欠き部を有し、前記板材の長手方向の一側を前記一側押付面に押付けて固定する固定部材が、前記切り欠き部に着脱可能に挿入されることが好ましい。
【考案の効果】
【００１８】
第１の考案に係るホルダー付き自助具が、道具を着脱可能に保持するホルダー部と、ホルダー部に連設されてホルダー部に保持される道具の姿勢を保持するホルダー保持部とを有することにより、握力が低下した使用者の各種の道具の使用をサポートして日常動作の自立を補助することができる。
【００１９】
第２の考案に係るホルダー付き自助具製造型が、使用者の手の形に合わせて成型部が形成された曲げ加工型を有し、板材が成型部に押付けられて変形することにより、ホルダー保持部が成形されるので、３Ｄプリンター等を用いて複雑な立体形状を作製する必要がなく、設計及び加工が容易で、材料の無駄も少なく、生産性に優れる。
【図面の簡単な説明】
【００２０】
【図１】本考案の第１の実施の形態に係るホルダー付き自助具の使用状態を示す斜視図である。
【図２】同ホルダー付き自助具の固定手段の構造を示す断面図である。
【図３】同ホルダー付き自助具の他の使用例を示す斜視図である。
【図４】（Ａ）は同ホルダー付き自助具の製造に用いられるホルダー付き自助具製造型を示す斜視図であり、（Ｂ）は同ホルダー付き自助具製造型の使用状態を示す正面図である。
【図５】（Ａ）は本考案の第２の実施の形態に係るホルダー付き自助具を示す斜視図であり、（Ｂ）は同ホルダー付き自助具の変形例を示す斜視図である。
【図６】本考案の第３の実施の形態に係るホルダー付き自助具を示す斜視図である。
【図７】（Ａ）は同ホルダー付き自助具の製造に用いられるホルダー付き自助具製造型を示す平面図であり、（Ｂ）は同ホルダー付き自助具製造型の使用状態を示す平面図である。
【図８】本考案の第４の実施の形態に係るホルダー付き自助具を示す斜視図である。
【図９】（Ａ）は本考案の第５の実施の形態に係るホルダー付き自助具の使用状態を示す正面図であり、（Ｂ）は同ホルダー付き自助具の使用状態を示す背面図である。
【図１０】本考案の第６の実施の形態に係るホルダー付き自助具の使用状態を示す斜視図である。
【考案を実施するための形態】
【００２１】
続いて、添付した図面を参照しつつ、本考案を具体化した実施の形態につき説明し、本考案の理解に供する。
図１に示す本考案の第１の実施の形態に係るホルダー付き自助具１０は、握力が低下した使用者（患者）が各種の道具（器具）を手１１で保持して使用する際に、手１１に装着することにより、その道具の使用（保持）をサポートして日常動作の自立を補助するものである。
図１に示すホルダー付き自助具１０は、ボールペンやシャープペンシル等の筆記具（道具の一例）１２の軸部１２ａを着脱可能に保持するホルダー部１３を備えている。本実施の形態では、ホルダー部１３として、一対の挟持片１３ａ、１３ｂの基側（摘み部分）に貫通孔１４が形成された目玉クリップを用いた。そして、ホルダー付き自助具１０は、使用者の手１１に装着されるホルダー保持部１５を有している。ホルダー保持部１５は、ホルダー部１３に連設されて、ホルダー部１３に保持される筆記具１２の姿勢を維持している。ホルダー保持部１５は、ホルダー部１３に保持された筆記具１２と共に使用者の手１１に握られる基部１６と、基部１６の長手方向の両側から延設されて先側が使用者の手の甲１７に係止される一対の係止部１８ａ、１８ｂとを有している。
【００２２】
ホルダー部１３とホルダー保持部１５は、図２に示すように、雄螺子部材１９ａと雌螺子部材（ナット）１９ｂを用いた固定手段２０により螺子止め固定されている。具体的に説明すると、ホルダー保持部１５の基部１６（又は係止部１８ａ若しくは係止部１８ｂ）には、雄螺子部材１９ａが挿通される取付孔２１が設けられており、基部１６の裏面側から取付孔２１に挿通した雄螺子部材１９ａの先側を挟持片１３ａの貫通孔１４に挿通して雌螺子部材１９ｂと螺着することにより、ホルダー部１３とホルダー保持部１５を固定することができる。ここで、基部１６の裏面側に、取付孔２１よりも大径のザグリ２１ａを形成し、雄螺子部材１９ａの頭部が基部１６の裏面側に突出することを防止することにより、使用者が痛みを感じることなく、ホルダー付き自助具１０を快適に使用することができる。また、雌螺子部材１９ｂの外周には、合成樹脂製のツマミ２２が嵌着されており、雌螺子部材１９ｂが小さくても雄螺子部材１９ａとの螺着作業を簡単かつ確実に行うことができる。なお、挟持片１３ａと基部１６との間にゴム製の座金２３を挟むことにより、固定安定性に優れる。そして、使用者は、基部１６と共に、ホルダー部１３に保持された筆記具１２の軸部１２ａを手１１で握ることができ、筆記具１２を落下させることなく、確実に筆記を行うことができる。
【００２３】
なお、ホルダー保持部１５は、基部１６と係止部１８ａ、１８ｂにより略Ｃ型に成型されているが、係止部１８ａ、１８ｂの先端側を開口部（切れ目）から外方に向けて拡開するように湾曲させることにより、手１１への着脱が容易になる。また、基部の長手方向に沿って、予め複数の取付孔を設けておけば、使用者の使い易い位置を選択してホルダー部１３を取り付けることができるだけでなく、右手用と左手用を兼用することができる。
また、ホルダー付き自助具は、ホルダー保持部に対するホルダー部の取り付け位置や取り付け角度だけでなく、各種の道具に対するホルダー部の取り付け位置も、適宜、選択することができる。例えば、図３に示すように、手１１で筆記具１２の軸部１２ａのみを握って、筆記具１２の軸部１２ａに取り付けたホルダー保持部１５で筆記具１２の先側を支えるようにしながら筆記を行うこともできる。
【００２４】
本実施の形態では、道具として筆記具１２を使用する場合について説明したが、これに限定されるものではなく、例えば、フォーク、スプーン、歯ブラシその他の道具にも対応することができる。また、本実施の形態では、ホルダー部１３として既製品の目玉クリップを用いたが、ホルダー部は、道具の柄又は胴部を保持できるものであればよく、その形状、大きさ及び構造は、対象となる道具の形状及び大きさ等に応じて、適宜、選択することができる。例えば、ホルダー部として、目玉クリップ以外の専用のクリップを用いてもよいし、道具の柄又は胴部が挿通されて保持される筒状部材を有するものや、道具の柄又は胴部の外周に巻き付けられて基部に連結（固定）されるベルト（バンド）状の巻回部材を有するものを用いてもよい。特に、弾力性を有する合成樹脂製のチューブ（ホース）で筒状部材を形成した場合、筒状部材の弾力性及び摩擦が滑り止めとなって道具の柄又は胴部を確実に保持することができ、道具の保持安定性に優れる。また、ホルダー部として、面ファスナーを用いて、携帯電話又はスマートフォン等を基部に張り付けるようにして保持することもできる。なお、ホルダー部にホルダー保持部を連設させる方法（手段）は、ホルダー部の形状及び構造により、適宜、選択することができ、ホルダー部の一部又は全部をホルダー保持部とは別部材で形成してホルダー保持部に取り付ける以外に、ホルダー部とホルダー保持部を一体に形成することもできる。例えば、基部の一側部又は両側部に設けた突設片を平面視して円形状やＣ字状等に湾曲させて、道具の柄又は胴部が挿通されて保持されるホルダー部をホルダー保持部と一体に形成することができる。
【００２５】
次に、ホルダー付き自助具１０の製造に用いられる図４（Ａ）、（Ｂ）のホルダー付き自助具製造型２４について説明する。
ホルダー付き自助具製造型２４は、図４（Ａ）、（Ｂ）に示すように、使用者の手１１の形に合わせて成型部２５が形成された曲げ加工型２６を有し、図４（Ｂ）に示すように、合成樹脂製の板材２７が成型部２５に押付けられて変形することにより、ホルダー保持部１５（図１参照）が成形されるものである。さらに具体的に説明すると、ホルダー付き自助具製造型２４は、曲げ加工型２６と対をなす一対の押し当て部材２８ａ、２８ｂを備えている。そして、成型部２５は、板材２７の長手方向の中央部が押付けられる基部成型面３０と基部成型面３０の両側で円弧状に湾曲した膨出面３１ａ、３１ｂとを有して断面が略Ｃ型に形成され、各押し当て部材２８ａ、２８ｂは、各膨出面３１ａ、３１ｂに対応して円弧状に湾曲した凹面３２ａ、３２ｂを有し、板材２７の長手方向の両側を、曲げ加工型２６の各膨出面３１ａ、３１ｂと各押し当て部材２８ａ、２８ｂの凹面３２ａ、３２ｂとの間に挟持することにより、曲げ加工を行うことができる。このとき、膨出面３１ａ、３１ｂの端部同士を連結する連結部３３により、曲げ加工型２６（成型部２５）の形状を安定させて膨出面３１ａ、３１ｂの変形を防止し、板材２７を所望の形状に変形させることができる。
【００２６】
板材２７（ホルダー保持部）の材質としては、ポリプロピレン、ポリカーボネート、ポリエチレン、ポリスチレン等の熱可塑性の合成樹脂が好適に用いられるが、ＳＭＰ（形状記憶ポリマー）フィラメントを用いることもできる。これらの材質で形成された板材２７を加熱して軟化させた状態でホルダー付き自助具製造型２４を用いることにより、立体形状のホルダー保持部を容易に製造することができる。なお、板材２７の材質として、曲げ加工可能な金属を用いることもできるが、その場合、加熱は不要である。
成型部２５の略Ｃ型の断面は、断面と直交する方向の一側から他側に向かって拡大して形成されているので、板材２７を挟持する位置を略Ｃ型の断面と直交する方向にずらすだけで、使用者の体格（手１１の大きさ）に合わせて、成型される略Ｃ型のホルダー保持部の大きさを変化させることができ、汎用性に優れる。このとき、図４（Ａ）に二点鎖線で示したように、曲げ加工型２６の外周（基部成型面３０及び膨出面３１ａ、３１ｂ）に沿って予め所定の間隔でガイド線３４を設けておけば、選択したガイド線３４に合わせて板材２７の位置を変更するだけで、所望の大きさのホルダー保持部を成型することができる。なお、ホルダー保持部は、右手用と左手用で形状が逆向き（左右勝手違い）であるが、板材のパターンを反転させるだけで、共通のホルダー付き自助具製造型を用いて、右手用と左手用のどちらのホルダー保持部の成型にも対応できる。
【００２７】
続いて、図５（Ａ）に示す本考案の第２の実施の形態に係るホルダー付き自助具３５について説明する。なお、第１の実施の形態と同様の構成については、同一の符号を付して説明を省略する。
図５（Ａ）に示すホルダー付き自助具３５がホルダー付き自助具１０と異なる点は、ホルダー保持部３６が、基部１６の長手方向の一側から延設されて使用者の手の甲１７側で基部１６の長手方向の他側に向かって湾曲した湾曲部３７と、湾曲部３７の先側から基部１６の長手方向の一側に向かって折り返され基部１６と対向して使用者の手の甲１７を押圧する押圧部３８とを有する点と、ホルダー部３９が、例えば、電気シェーバー（道具の一例）４０の胴部４０ａを両側から挟持する左右一対の挟持片４１ａ、４１ｂを有する点である。
ホルダー付き自助具３５では、湾曲部３７の弾性により押圧部３８を手の甲１７に押し当てることができる。このとき、押圧部３８の幅方向中央部が基部１６から遠ざかるように押圧部３８を湾曲させることにより、押圧部３８全体を手の甲１７に密着させて、装着安定性を向上させることができる。挟持片は、道具の胴部又は柄を挟持できるものであればよく、その形状及び大きさは、道具の胴部又は柄の形状及び大きさに応じて、適宜、選択することができる。なお、必要に応じて、左右の挟持片をベルト等で連結し、道具の保持安定性を向上させることもできる。また、本実施の形態では、挟持片をホルダー保持部（基部）と一体に形成したが、別途形成されたクリップをホルダー保持部（基部）に取り付け、ホルダー部として使用することもできる。
【００２８】
特に、ホルダー付き自助具３５では、湾曲部３７が手の甲１７に人差し指側（使用時の上側）から係止されるので、使用中に手１１を開いても、ホルダー付き自助具３５そのものが手１１から落下することがない。よって、ホルダー部として、面ファスナーを用いて、携帯電話又はスマートフォン等を基部に張り付けるようにして保持することもできる。但し、図５（Ｂ）に示す変形例のホルダー付き自助具４２のように、例えばタッチペン（道具の一例）４３等の軽量な道具の胴部４３ａをホルダー部４４で保持する場合には、ホルダー付き自助具３５とはホルダー保持部３６の上下を反転させ、湾曲部３７が手の甲１７に小指側（使用時の下側）から係止されるようにして使用することもできる。なお、ホルダー付き自助具４２では、ホルダー部４４は、タッチペン４３の胴部４３ａの外周に巻き付けられて基部１６に固定されるベルト（バンド）状の巻回部材４４ａを有している。巻回部材は、例えば、基部に形成した二箇所のスリット（図示せず）に挿通し、端部同士を面ファスナー等で貼着して固定することができるが、巻回部材の固定方法は、適宜、選択することができる。また、巻回部材４４ａを有するホルダー部４４の代わりに、前述の挟持片を有するものを用いてもよいし、クリップを基部に取り付けて用いてもよい。
【００２９】
続いて、図６に示す本考案の第３の実施の形態に係るホルダー付き自助具４５について説明する。なお、第１、第２の実施の形態と同様の構成については、同一の符号を付して説明を省略する。
ホルダー付き自助具４５のホルダー部４６は、ホルダー保持部３６の基部１６と対向配置され、ホルダー部４６に保持されるフォーク（道具の一例）４７の柄４７ａに当接する山型の当接面４８が形成された押圧部材４９を有している。そして、押圧部材４９の長手方向の両端部（当接面４８の両側部）は、固定手段２０により、基部１６に着脱可能に固定されている。この固定手段２０の構成は、第１の実施の形態（図２参照）で説明した通りであり、雄螺子部材１９ａと雌螺子部材１９ｂの締付量（雄螺子部材１９ａに螺着される雌螺子部材１９ｂの位置）によって、押圧部材４９と基部１６との間隔を調整することができる。本実施の形態では、柄４７ａが平板状（断面長方形状）に形成されているが、押圧部材４９に山型の当接面４８が形成され、押圧部材４９と基部１６との間隔が調整可能であるので、例えば柄又は胴部の外形（断面形状）が円形状、楕円形状又は四角形等の多角形状に形成された道具であっても、固定手段２０で押圧部材４９と基部１６との間隔を調整して当接面４８を道具の柄又は胴部の表面に押し当てて確実に固定することができ、汎用性に優れる。ここで、固定手段は、雄螺子部材と雌螺子部材を入れ替えて、雌螺子部材をザグリ２１ａ側に配置し、雄螺子部材の頭部の外周にツマミ２２を嵌着してもよい。雄螺子部材の頭部にツマミ２２を取り付けることにより、ドライバーや六角レンチ等の工具を用いることなく、手で簡単に固定手段（雄螺子部材）を締め付けたり、緩めたりすることができる。なお、ツマミの外形は、円形に限らず、六角形に形成してもよいし、ツマミを摘み易く（滑り難く）するためにツマミの外周面に凹凸（ローレット）を形成してもよい。
【００３０】
次に、ホルダー付き自助具３５、４２、４５の製造に用いられる図７（Ａ）、（Ｂ）のホルダー付き自助具製造型５０について説明する。
図７（Ａ）、（Ｂ）に示すホルダー付き自助具製造型５０が、ホルダー付き自助具製造型２４と異なる点は、曲げ加工型５１が、一側押付面５２と、一側押付面５２の裏側に膨出して形成された湾曲面５３と、湾曲面５３の一側から延設されて一側押付面５２と間隔を空けて対向配置された対向面５４とを有しており、一側押付面５２、湾曲面５３及び対向面５４が連なって成型部５５が形成されている点と、一側押付面５２と対向面５４との間に切り欠き部５６が形成されている点である。このホルダー付き自助具製造型５０では、板材２７の長手方向の一側を一側押付面５２に押付けて固定する固定部材５８が、切り欠き部５６に着脱可能に挿入されることにより、一側押付面５２の裏側に折り返される板材２７の長手方向の他側を、湾曲面５３及び対向面５４に沿って変形させることができる。このようにして、板材２７を、一側押付面５２、湾曲面５３及び対向面５４に沿って変形させることにより、ホルダー保持部３６（図５（Ａ）、（Ｂ）、図６参照）が成形される。ここで、一側押付面５２の幅方向（図７（Ａ）、（Ｂ）では紙面に垂直な方向）の中央部を、対向面５４側から遠ざかるように湾曲させることにより、先に説明したように、押圧部３８を手の甲１７に沿うように湾曲させることができる。また、曲げ加工型５１には、必要に応じて、肉抜き部５９を形成することができる。なお、肉抜き部の形状、大きさ、数及び配置は、適宜、選択することができる。また、図７（Ｂ）では、ホルダー保持部３６となる長尺状の板材２７のみを示したが、先に説明したように、ホルダー保持部とホルダー部を一体に成型する場合には、板材に予め一対の挟持片を形成しておき、その挟持片を湾曲させてホルダー部を形成することができる（図５（Ａ）参照）。
【００３１】
続いて、図８に示す本考案の第４の実施の形態に係るホルダー付き自助具６０について説明する。なお、第１〜第３の実施の形態と同様の構成については、同一の符号を付して説明を省略する。
図８に示すホルダー付き自助具６０がホルダー付き自助具３５と異なる点は、ホルダー保持部６１が、基部１６の長手方向の一側及び他側から延設されて使用者の手の甲１７に当接する当接部６２ａ、６２ｂを有し、環状（ここではＤ型）に形成されている点である。
ホルダー付き自助具６０では、使用者は、基部１６と当接部６２ａ、６２ｂよって環状に形成されたホルダー保持部６１の空間部６３に手１１を差し込むようにして、ホルダー部６４に保持されるシャワーヘッド（道具の一例）６５の胴部６５ａを基部１６と共に、手１１で握ることができる。これにより、ホルダー付き自助具１０、３５、４２、４５と同様の作用、効果を得ることができる。
【００３２】
なお、本実施の形態では、当接部６２ａの長さよりも当接部６２ｂの長さを長く形成したが、当接部６２ａと当接部６２ｂの長さの比は、適宜、選択することができ、当接部６２ａの長さよりも当接部６２ｂの長さを短く形成してもよいし、当接部６２ａの長さと当接部６２ｂの長さを等しく形成してもよい。また、ホルダー保持部は、使用者の手が挿通できるように環状に形成されていればよいので、基部の長手方向の一側又は他側のみから当接部を延設し、当接部の先端側が、基部の長手方向の他側又は一側に届くように湾曲させて形成することもできる。本実施の形態では、基部１６の両側部に設けた突設片６６ａ、６６ｂを平面視してＣ字状に湾曲させてホルダー部６４を形成したが、ホルダー部の形状は保持する道具の形状に応じて、適宜、選択することができる。例えば、ホルダー部として、ホルダー付き自助具３５のホルダー部３９又はホルダー付き自助具４２のホルダー部４４と同様の構成を用いることもできるし、各種のクリップや筒状部材等を用いることもでき、シャワーヘッド以外の歯ブラシや電気シェーバー等の様々な道具を保持することができる。また、ホルダー部として、面ファスナーを用いて、携帯電話又はスマートフォン等を基部に張り付けるようにして保持することもできる。
【００３３】
続いて、図９（Ａ）、（Ｂ）に示す本考案の第５の実施の形態に係るホルダー付き自助具７２について説明する。なお、第１〜第４の実施の形態と同様の構成については、同一の符号を付して説明を省略する。
図９（Ａ）、（Ｂ）に示すホルダー付き自助具７２では、ホルダー保持部７３が、使用者の手の平７４に当接する基部７５と、基部７５から延設されて使用者の手首７６に当接する延設部７７とを有しており、基部７５及び延設部７７にそれぞれ連結された２本のベルト７８ａ、７８ｂにより使用者の手１１（手の甲１７及び手首７６）に固定されている。
また、ホルダー付き自助具７２のホルダー部８０は、ホルダー保持部７３の基部７５と対向配置され、ホルダー部８０に保持されるフォーク（道具の一例）８１の柄８１ａに当接する押圧部材８２を有している。そして、押圧部材８２の長手方向の両端部は、固定手段２０により、基部７５に着脱可能に固定されている。この固定手段２０の構成は、第１の実施の形態（図２参照）で説明した通りであるが、基部７５には、一方の固定手段２０の雄螺子部材１９ａ（図９（Ａ）、（Ｂ）では上側）を摺動可能に保持する円弧状の角度調整孔８３が形成されている。これにより、それぞれの固定手段２０を緩めた状態で、他方の固定手段２０の雄螺子部材１９ａ（図９（Ａ）、（Ｂ）では下側）を中心に、一方の固定手段２０の雄螺子部材１９ａを角度調整孔８３に沿って摺動させて、押圧部材８２の取付角度を調整することができ、フォーク８１を使い易い位置（角度）に固定（保持）することができる。そして、使用者は、基部７５と共に、ホルダー部８０に保持されたフォーク８１の柄８１ａを握って食事をすることができ、食事中に握力が弱まったり、手１１が開いたりしてもフォーク８１が落下することはない。そして、延設部７７が、使用者の手首７６に当接することにより、使用者の手１１を手首７６と固定して一定の角度に維持することができ、手１１のふらつきを防止してスムーズに食事をすることができる。
【００３４】
ここで、基部及び延設部の形状は、本実施の形態に限定されるものではなく、握り易さ及び装着時の安定性等を考慮して、適宜、選択することができる。なお、本実施の形態では、基部７５に円形の肉抜き部８４を形成したが、肉抜き部の形状、大きさ、数及び配置も適宜、選択することができる。また、押圧部材の形状及び大きさは、使用する道具の柄の形状及び大きさに応じて、適宜、選択することができ、道具として、フォーク以外に、例えばスプーン、ナイフ、歯ブラシ等を保持することができる。さらに、本実施の形態では、基部７５及び延設部７７をそれぞれ２本のベルト７８ａ、７８ｂで使用者の手１１（手の甲１７及び手首７６）に固定したが、基部７５と延設部７７を連結するように、１本のベルトを斜めに取り付けて、着脱作業を簡素化することもできる。なお、いずれの場合も、ベルトの長さ、太さ及び固定方法等は、適宜、選択することができる。また、本実施の形態では、ホルダー付き自助具を使用者の右手に装着した場合について説明したが、形状を左右反転させれば左手に装着することができる。
【００３５】
続いて、図１０に示す本考案の第６の実施の形態に係るホルダー付き自助具８５について説明する。なお、第１〜第５の実施の形態と同様の構成については、同一の符号を付して説明を省略する。
図１０に示すホルダー付き自助具８５は、例えば導尿カテーテル（道具の一例）８６の胴部（チューブ）８６ａを着脱可能に保持するホルダー部８７を備えている。ホルダー部８７は、胴部８６ａが挿抜（着脱）可能に挿通される筒状の挿通部８７ａを有している。挿通部８７ａは胴部８６ａの外周を保持することができればよいが、平面視してＣ字状になるように円周上の一部に切れ目（図示せず）を形成したものが好適に用いられる。挿通部８７ａに切れ目を形成することにより、挿通部８７ａの内径を拡径させて、胴部８６ａへの着脱を容易に行うことができる。また、挿通部８７ａの内径を胴部８６ａの外径よりもやや小さく形成することにより、胴部８６ａの外周を挿通部８７ａで締め付けるようにして強固に固定することができる。そして、ホルダー付き自助具８５は、ホルダー部８７に連設されるホルダー保持部８８として、ホルダー部８７（挿通部８７ａ）の両側に設けられ、使用者が手１１で導尿カテーテル８６（胴部８６ａ）を握った際に、手１１の親指８９及び人差し指９０にそれぞれ係合する一対の係合片９１ａ、９１ｂを有している。板状の係合片９１ａ、９１ｂは、それぞれ親指８９の腹及び人差し指９０の側面に沿うように湾曲しており、使用者は導尿カテーテル８６を確実に保持して、その姿勢を安定的に維持することができる。
【００３６】
以上、本考案の実施の形態を説明したが、本考案は、上記した形態に限定されるものではなく、要旨を逸脱しない条件の変更等は全て本考案の適用範囲である。
立体形状に成型する前の板材及びその他の部品は、３Ｄプリンターで作製することが好ましいが、それ以外のレーザー加工機等のデジタルファブリケーション機器を用いて作製することもできる。また、部品の形状及び材質によっては、プレス機器を用いて作製することもできる。
【符号の説明】
【００３７】
１０：ホルダー付き自助具、１１：手、１２：筆記具（道具の一例）、１２ａ：軸部、１３：ホルダー部、１３ａ、１３ｂ：挟持片、１４：貫通孔、１５：ホルダー保持部、１６：基部、１７：手の甲、１８ａ、１８ｂ：係止部、１９ａ：雄螺子部材、１９ｂ：雌螺子部材（ナット）、２０：固定手段、２１：取付孔、２１ａ：ザグリ、２２：ツマミ、２３：座金、２４：ホルダー付き自助具製造型、２５：成型部、２６：曲げ加工型、２７：板材、２８ａ、２８ｂ：押し当て部材、３０：基部成型面、３１ａ、３１ｂ：膨出面、３２ａ、３２ｂ：凹面、３３：連結部、３４：ガイド線、３５：ホルダー付き自助具、３６：ホルダー保持部、３７：湾曲部、３８：押圧部、３９：ホルダー部、４０：電気シェーバー（道具の一例）、４０ａ：胴部、４１ａ、４１ｂ：挟持片、４２：ホルダー付き自助具、４３：タッチペン（道具の一例）、４３ａ：胴部、４４：ホルダー部、４４ａ：巻回部材、４５：ホルダー付き自助具、４６：ホルダー部、４７：フォーク（道具の一例）、４７ａ：柄、４８：当接面、４９：押圧部材、５０：ホルダー付き自助具製造型、５１：曲げ加工型、５２：一側押付面、５３：湾曲面、５４：対向面、５５：成型部、５６：切り欠き部、５８：固定部材、５９：肉抜き部、６０：ホルダー付き自助具、６１：ホルダー保持部、６２ａ、６２ｂ：当接部、６３：空間部、６４：ホルダー部、６５：シャワーヘッド（道具の一例）、６５ａ：胴部、６６ａ、６６ｂ：突設片、７２：ホルダー付き自助具、７３：ホルダー保持部、７４：手の平、７５：基部、７６：手首、７７：延設部、７８ａ、７８ｂ：ベルト、８０：ホルダー部、８１：フォーク（道具の一例）、８１ａ：柄、８２：押圧部材、８３：角度調整孔、８４：肉抜き部、８５：ホルダー付き自助具、８６：導尿カテーテル（道具の一例）、８６ａ：胴部、８７：ホルダー部、８７ａ：挿通部、８８：ホルダー保持部、８９：親指、９０：人差し指、９１ａ、９１ｂ：係合片
【図１】
0003230682.tif 000003
【図２】
0003230682.tif 000004
【図３】
0003230682.tif 000005
【図４】
0003230682.tif 000006
【図５】
0003230682.tif 000007
【図６】
0003230682.tif 000008
【図７】
0003230682.tif 000009
【図８】
0003230682.tif 000010
【図９】
0003230682.tif 000011
【図１０】
0003230682.tif 000012
【手続補正書】
【提出日】令和2年11月30日(2020.11.30)
【手続補正１】
【補正対象書類名】実用新案登録請求の範囲
【補正対象項目名】全文
【補正方法】変更
【補正の内容】
【実用新案登録請求の範囲】
【請求項１】
握力が低下した使用者が道具を手で保持して使用する際に、前記道具の保持を補助するホルダー付き自助具であって、
前記道具を着脱可能に保持するホルダー部と、該ホルダー部に連設されて該ホルダー部に保持される道具の姿勢を維持するホルダー保持部とを有することを特徴とするホルダー付き自助具。
【請求項２】
請求項１記載のホルダー付き自助具において、前記ホルダー保持部は、前記使用者の手に装着されることを特徴とするホルダー付き自助具。
【請求項３】
請求項２記載のホルダー付き自助具において、前記ホルダー保持部は、前記ホルダー部に保持される道具と共に前記使用者の手に握られる基部と、該基部の長手方向の両側から延設されて先側が前記使用者の手の甲に係止される一対の係止部とを有することを特徴とするホルダー付き自助具。
【請求項４】
請求項２記載のホルダー付き自助具において、前記ホルダー保持部は、前記ホルダー部に保持される道具と共に前記使用者の手に握られる基部と、該基部の長手方向の一側及び／又は他側から延設されて前記使用者の手の甲に当接する当接部とを有し、環状に形成されることを特徴とするホルダー付き自助具。
【請求項５】
請求項２記載のホルダー付き自助具において、前記ホルダー保持部は、前記ホルダー部に保持される道具と共に前記使用者の手に握られる基部と、該基部の長手方向の一側から延設されて前記使用者の手の甲側で前記基部の長手方向の他側に向かって湾曲した湾曲部と、該湾曲部の先側から前記基部の長手方向の一側に向かって折り返され前記基部と対向して前記使用者の手の甲を押圧する押圧部とを有することを特徴とするホルダー付き自助具。
【請求項６】
請求項２記載のホルダー付き自助具において、前記ホルダー保持部は、前記使用者の手の平に当接する基部と、該基部から延設されて前記使用者の手首に当接する延設部とを有し、前記基部及び前記延設部に連結されたベルトにより前記使用者の手に固定されることを特徴とするホルダー付き自助具。
【請求項７】
請求項３〜６のいずれか１記載のホルダー付き自助具において、前記ホルダー部は、前記基部と対向配置され、該ホルダー部に保持される道具の柄又は胴部に当接する山型の当接面が形成された押圧部材と、該押圧部材と前記基部との間隔を調整し、該押圧部材を前記基部に着脱可能に固定する固定手段とを有することを特徴とするホルダー付き自助具。
【請求項８】
道具を着脱可能に保持するホルダー部と、該ホルダー部に連設されて前記ホルダー部に保持される道具の姿勢を保持するホルダー保持部とを有し、握力が低下した使用者が前記道具を手で保持して使用する際に、前記道具の保持を補助するホルダー付き自助具の製造に用いられるホルダー付き自助具製造型であって、
前記使用者の手の形に合わせて成型部が形成された曲げ加工型を有し、板材が前記成型部に押付けられて変形することにより、前記ホルダー保持部が成形されることを特徴とするホルダー付き自助具製造型。
【請求項９】
請求項８記載のホルダー付き自助具製造型において、前記曲げ加工型と対をなす一対の押し当て部材を備え、前記成型部は、前記板材の長手方向の中央部が押付けられる基部成型面と該基部成型面の両側で円弧状に湾曲した膨出面とを有して断面がＣ型に形成され、前記各押し当て部材は、前記各膨出面に対応して円弧状に湾曲した凹面を有し、前記板材の長手方向の両側を、前記曲げ加工型の前記各膨出面と前記各押し当て部材の前記凹面との間に挟持することを特徴とするホルダー付き自助具製造型。
【請求項１０】
請求項９記載のホルダー付き自助具製造型において、前記成型部のＣ型の断面は、該断面と直交する方向の一側から他側に向かって拡大して形成されていることを特徴とするホルダー付き自助具製造型。
【請求項１１】
請求項８記載のホルダー付き自助具製造型において、前記曲げ加工型は、前記板材の長手方向の一側が押付けられる一側押付面と、該一側押付面の裏側に膨出して形成された湾曲面と、該湾曲面の一側から延設されて前記一側押付面と間隔を空けて対向配置された対向面とを有し、前記一側押付面、前記湾曲面及び前記対向面が連なって形成される前記成型部に沿って前記板材を変形させることを特徴とするホルダー付き自助具製造型。
【請求項１２】
請求項１１記載のホルダー付き自助具製造型において、前記曲げ加工型は、前記一側押付面と前記対向面との間に形成された切り欠き部を有し、前記板材の長手方向の一側を前記一側押付面に押付けて固定する固定部材が、前記切り欠き部に着脱可能に挿入されることを特徴とするホルダー付き自助具製造型。